(57)【要約】      （修正有）【課題】カード収容部内に挿入またはカード収容部から排出されるＩＣカードの先端部を確実に検出し、かつ、カード収容部の低背化を図る。【解決手段】カードエンド検出スイッチ１８、および、押圧レバー部材１６が、側壁１０ＬＷにおけるカードスロット１０ＣＳの一部を形成する周縁に設けられ、第１のＩＣカードＳＤＣまたは第２のＩＣカードの先端部で反時計回り方向に押圧される押圧レバー部材１６の押圧面により、カードエンド検出スイッチ１８の可動端子１８Ａの折曲片部が押圧され、折曲片部の接点部が、固定端子１８Ｂの接点部に当接され、また、第１のＩＣカードＳＤＣまたは第２のＩＣカードの先端部がカードスロット１０ＣＳから排出される場合、可動端子１８Ａにおける折曲片部は、それ自体の復元力により、押圧レバー部材１６を時計回り方向に押圧し初期位置まで戻すとともに、折曲片部の接点部が、固定端子１８Ｂの接点部に対し離隔する。【選択図】図１
2011227707.tif 000002
【特許請求の範囲】
【請求項１】
少なくとも一つのＩＣカードがカードスロットを通じて着脱可能に配され、該ＩＣカードの電極部を電気的に接続するコンタクト端子を有するカード収容部を備えるベース部材と、
前記ベース部材の少なくとも一方の側壁における前記カードスロットの周縁に、前記ＩＣカードの着脱に応じて前記カード収容部内に突出する突出位置または該カード収容部から退避する退避位置をとるとともに、前記ベース部材の底面に対し直交する回動軸線の回りに回動可能に配され、前記ＩＣカードを案内する案内溝を有する押圧レバー部材と、
前記ＩＣカードの挿入操作に応じて前記押圧レバー部材の押圧面で押圧される可動端子と、固定端子とを有し、前記ＩＣカードの先端部が前記カードスロットに到達し通過したことを検出し、検出出力を送出するカードエンド検出スイッチと、を備え、
前記カードエンド検出スイッチの可動端子は、前記ＩＣカードの排出操作に応じて前記押圧レバー部材を前記突出位置に戻すことを特徴とするＩＣカード用コネクタ。
【請求項２】
前記ベース部材は、前記押圧レバー部材の回動を規制するストッパ部材を有することを特徴とする請求項１記載のＩＣカード用コネクタ。
【請求項３】
前記押圧レバー部材の案内溝は、前記カード収容部に装着可能な二種類のＩＣカードのうちの一枚のＩＣカードを案内することを特徴とする請求項１記載のＩＣカード用コネクタ。
【請求項４】
前記カードエンド検出スイッチの固定端子が、前記カード収容部を覆う金属製カバー部材に一体に形成されることを特徴とする請求項１記載のＩＣカード用コネクタ。
【請求項５】
前記押圧レバー部材は、前記押圧面が前記一方の側壁の側面における仮想の延長した面と所定の角度で交差するように傾斜し、前記押圧レバー部材は、前記カード収容部において装着される所定幅を有するＩＣカードの先端部が当接される位置から該カード収容部の内方に向けて突出していることを特徴とする請求項１または２記載のＩＣカード用コネクタ。
【発明の詳細な説明】
【技術分野】
【０００１】
本発明は、カードエンド検出スイッチを備えるＩＣカード用コネクタに関する。
【背景技術】
【０００２】
ＩＣカード用コネクタは、例えば、電子機器内の配線基板上に配され、ＩＣカードを着脱可能に収容するカード収容部を有している。また、そのようなカード収容部においては、例えば、特許文献１にも示されるように、そのカードスロットを通じて侵入したＩＣカードの先端部を確実に検出するカード残存検知スイッチ、および、レバーを有するシャッタをカード収容部に備えるものが提案されている。レバーを有するシャッタは、両端の軸部によって、カード収容部に対し回動可能にカードスロットの周縁で支持されている。ＩＣカードがカード収容部に挿入されない場合、起立した状態でカードスロットを覆っている。また、シャッタは、ＩＣカードがカード収容部に挿入される場合、ＩＣカードによって内方のカード収容部に向けて押し倒されるように回動し、カードスロットを通じたＩＣカードの進入を許容するものとされる。さらに、シャッタは、ＩＣカードがカード収容部から取り出された後、その軸部に設けられる軸ばねの弾性力によりカードスロットを覆う状態に戻される。
【０００３】
挿入されるＩＣカードの先端部により、シャッタがカード収容部の内方に向けて押圧される場合、即ち、ＩＣカードの先端部がカード収容部に進入されるとき、そのシャッタのレバーは、カードスロットの周縁に設けられるカード残存検知スイッチの一方の可動片を押圧するものとされる。
【先行技術文献】
【特許文献】
【０００４】
【特許文献１】特開２００４−１３９２１２号公報
【発明の概要】
【発明が解決しようとする課題】
【０００５】
上述の特許文献１に示されるように、シャッタは挿入されるＩＣカードによって内方のカード収容部に向けて押し倒される。従って、カード収容部にはシャッタが押し倒された場合に、シャッタがＩＣカードの挿入を妨げない位置にシャッタを回避させておくための厚みを必要とする。そのためカード収容部におけるＩＣカードの厚さ方向に沿った高さがより高くなり、ＩＣカード用コネクタの低背化の要望に反するという問題を伴うこととなる。
【０００６】
以上の問題点を考慮し、本発明は、カードエンド検出スイッチを備えるＩＣカード用コネクタであって、カード収容部内に挿入またはカード収容部から排出されるＩＣカードの先端部を確実に検出することができ、しかも、カード収容部の低背化を図ることができるＩＣカード用コネクタを提供することを目的とする。
【課題を解決するための手段】
【０００７】
上述の目的を達成するために、本発明に係るＩＣカード用コネクタは、少なくとも一つのＩＣカードがカードスロットを通じて着脱可能に配され、ＩＣカードの電極部を電気的に接続するコンタクト端子を有するカード収容部を備えるベース部材と、ベース部材の少なくとも一方の側壁におけるカードスロットの周縁に、ＩＣカードの着脱に応じてカード収容部内に突出する突出位置またはカード収容部から退避する退避位置をとるとともに、ベース部材の底面に対し直交する回動軸線の回りに回動可能に配され、ＩＣカードを案内する案内溝を有する押圧レバー部材と、ＩＣカードの挿入操作に応じて押圧レバー部材の押圧面で押圧される可動端子と、固定端子とを有し、ＩＣカードの先端部がカードスロットに到達し通過したことを検出し、検出出力を送出するカードエンド検出スイッチと、を備え、カードエンド検出スイッチの可動端子は、ＩＣカードの排出操作に応じて押圧レバー部材を突出位置に戻すことを特徴とする。
【発明の効果】
【０００８】
本発明に係るＩＣカード用コネクタによれば、ＩＣカードの挿入操作に応じて押圧レバー部材の押圧面で押圧される可動端子と、固定端子とを有し、ＩＣカードの先端部がカードスロットを通過したことを検出し、検出出力を送出するカードエンド検出スイッチを備えるのでカード収容部内に挿入またはカード収容部から排出されるＩＣカードの先端部を確実に検出することができ、しかも、その押圧レバー部材が、ベース部材の底面に対し直交する回動軸線の回りに回動可能に配されるのでカード収容部の低背化を図ることができる。
【図面の簡単な説明】
【０００９】
【図１】本発明に係るＩＣカード用コネクタの第１実施例におけるベース部材を示す平面図である。
【図２】図１に示される例において、ベース部材をコンタクト端子固定壁から見た斜視図である。
【図３】図２におけるＡ部を拡大して示す斜視図である。
【図４】（Ａ）および（Ｂ）は、それぞれ、図１に示される例において用いられる押圧レバー部材を示す斜視図である。
【図５】（Ａ）は、図４（Ａ）に示される斜視図における平面図であり、（Ｂ）は、図４（Ｂ）に示される斜視図における立面図であり、（Ｃ）は、図４（Ａ）に示される斜視図における側面図である。
【図６】（Ａ）および（Ｂ）は、それぞれ、図１に示される例における動作説明に供される図である。
【図７】本発明に係るＩＣカード用コネクタの第２実施例の外観を示す斜視図である。
【図８】図７に示される例において、カバー部材を取り外した状態を示す斜視図である。
【図９】図７におけるＡ部を部分的に拡大して示す斜視図である。
【図１０】図８におけるＢ部を部分的に拡大して示す斜視図である。
【発明を実施するための形態】
【００１０】
図１は、本発明に係るＩＣカード用コネクタの第１実施例を示す。
【００１１】
図１において、ＩＣカード用コネクタは、例えば、車載用ナビゲーションシステム、携帯電話機、電話機、ＰＤＡ、カメラ等の電子機器の内部に配される基板上に設けられる。ＩＣカード用コネクタは、そのカード収容部に着脱可能に収容される第１のＩＣカードＳＤＣの電極部（図６（Ａ）、（Ｂ）参照）、または、第２のＩＣカードの電極部（不図示）と所定の電子機器の内部に配される信号入出力用等の基板（不図示）の接続端子部とを電気的に接続するものとされる。第１のＩＣカードＳＤＣは、例えば、ＳＤカード（ｓｅｃｕｒｅ  ｄｅｇｉｔａｌ ｃａｒｄ）（商標）とされる。また、第２のＩＣカードは、例えば、第１のＩＣカードＳＤＣの横断面形状と異なる横断面を有するＭＭＣ（ｍｕｌｔｉ  ｍｅｄｉａ  ｃａｒｄ）カード（商標）とされる。第１のＩＣカードＳＤＣは、図６（Ａ）に示されるように、先端に面取り部が形成される一方の側部に、切欠部ＳＤａを有する。また、第１のＩＣカードＳＤＣは、相対向する他方の側部に形成される切欠部ＳＤｂ内に移動可能なライトプロテクトスイッチＳＤＢを有している。
【００１２】
ＩＣカード用コネクタは、収容される第１のＩＣカードＳＤＣまたは第２のＩＣカードに対する電気的接続を行う複数のコンタクト端子等が配列されるベース部材１０と、ベース部材１０と協働して各ＩＣカードのカード収容部を形成するカバー部材（不図示）とを含んで構成されている。
【００１３】
ベース部材１０におけるカード収容部１０Ａは、上方、および後述するコンタクト端子固定部側とは反対側の端部が、開口している。
【００１４】
従って、上述のカバー部材によりベース部材１０が覆われることにより、カード収容部１０Ａの一方の端部に第１のＩＣカードＳＤＣおよび第２のＩＣカードのうちの一方が選択的に通過される共通のカードスロット１０ＣＳが形成されることとなる。その共通のカードスロット１０ＣＳとしての開口端部は、挿入される第１のＩＣカードＳＤＣおよび第２のＩＣカードの形状寸法に対応した形状の横断面を有している。
【００１５】
ベース部材１０は、例えば、成形樹脂材料で一体に成形されている。ベース部材１０は、第１のＩＣカードＳＤＣおよび第２のＩＣカードが着脱可能に収容されるカード収容部１０Ａの両側部をそれぞれ形成する側壁１０ＲＷ、１０ＬＷと、コンタクト端子１４ａｉ（ｉ＝１〜９）が配されるコンタクト端子固定壁部１０ＢＷと、それらを連結する底壁部とを含んで構成されている。
【００１６】
複数のコンタクト端子１４ａｉは、例えば、所定の相互間隔で側壁１０ＲＷ，１０ＬＷに対して略平行に、カード収容部１０Ａにおけるコンタクト端子固定壁部１０ＢＷに近い部分に配列されている。
【００１７】
側壁１０ＲＷの内側部分には、第１のＩＣカードＳＤＣまたは第２のＩＣカードをカード収容部１０Ａに保持するとともに、カード収容部１０Ａから第１のＩＣカードＳＤＣまたは第２のＩＣカードを選択的に排出するイジェクタ機構１２が設けられている。
【００１８】
イジェクタ機構１２は、ベース部材１０に対し移動可能に支持され、第１のＩＣカードＳＤＣまたは第２のＩＣカードを選択的に保持するイジェクタ部材２４と、ベース部材１０のコンタクト端子固定壁部１０ＢＷに隣接する壁およびイジェクタ部材２４相互間に介装され、イジェクタ部材２４を第１のＩＣカードＳＤＣまたは第２のＩＣカードの排出方向に付勢するコイルスプリング２６と、第１のＩＣカードＳＤＣまたは第２のＩＣカードの着脱操作に応じてイジェクタ部材２４を選択的にベース部材１０に対し保持または解放する制御を行うイジェクタ部材制御部と（不図示）、を含んで構成されている。
【００１９】
イジェクタ部材２４は、薄板金属材料でプレス加工により一体に成形されており、カード収容部１０Ａに向けて突出し、図６（Ｂ）に示されるように、第１のＩＣカードＳＤＣの先端部および面取り部を保持するカード保持部２４ａを有している。また、イジェクタ部材２４におけるカード収容部１０Ａに対向する内側の側面には、第１のＩＣカードＳＤＣの切欠部ＳＤａに係止される弾性変位可能なロック片２４ＬＳが設けられている。
【００２０】
イジェクタ部材制御部は、例えば、特開２００４−３１１４１６号公報にも示されるようなイジェクタ部材２４における側壁１０ＲＷ側に形成された略ハート形状のカム要素（ハートカム）と、ハートカムの周囲に形成された複数の段差部からなるレバー案内溝と、一方の端部が側壁１０ＲＷの孔に連結され、他方の端部がレバー案内溝に沿って摺動せしめられる門形状のカムレバーと、上述のカバー部材の押えバネとを含んで構成されている。
【００２１】
側壁１０ＬＷにおけるカードスロット１０ＣＳの一部を形成する周縁には、第１の検出スイッチとしてのカードエンド検出スイッチ１８と、押圧レバー部材１６とが設けられている。
【００２２】
カードエンド検出スイッチ１８は、押圧レバー部材１６の回動動作を検出することにより、第１のＩＣカードＳＤＣまたは第２のＩＣカードの先端部の侵入または排出を検出するものとされる。
【００２３】
カードエンド検出スイッチ１８は、可動端子１８Ａと、固定端子１８Ｂとから構成されている。可動端子１８Ａと、固定端子１８Ｂとは、互いに略平行となるように側壁１０ＬＷに配されている。固定端子１８Ｂの先端部には、下側の孔１０ＬＷｐに向けて突出する突出片（不図示）が設けられている。この突出片は、ベース部材１０の側壁１０ＬＷに形成された孔１０ＬＷｐ内を可動可能に配置されている。これにより、その固定端子１８Ｂの先端部の突出片の動きは、孔１０ＬＷｐによって規制される。従って、固定端子１８Ｂの過剰な変形が防止される。また、固定端子１８Ｂの先端部の突出片が形成される位置よりもさらに最先端に近い可動端子１８Ａに対向する面には、後述する可動端子１８Ａの接点部が選択的に当接する固定側接点部が形成されている。
【００２４】
可動端子１８Ａは、側壁１０ＬＷに圧入される固定片部と、固定片部と一体に形成され、接点部を先端に有し後述する押圧レバー部材１６の押圧面１６Ｔにより押圧される折曲片部とから構成されている。その折曲片部は、常時、後述する押圧レバー部材１６の押圧面１６Ｔに当接し上述の固定端子１８Ｂの固定側接点部に対し近接または離隔するように、弾性変位可能とされる。また、その折曲片部は、押圧レバー部材１６の押圧面１６Ｔにより押圧され固定端子１８Ｂの固定側接点部に当接する可動側接点部を先端に有している。
【００２５】
これにより、図６（Ａ）および（Ｂ）に示されるように、第１のＩＣカードＳＤＣまたは第２のＩＣカードの先端部で反時計回り方向に押圧される押圧レバー部材１６の押圧面１６Ｔにより、折曲片部が押圧される場合、可動端子１８Ａにおける折曲片部の可動側接点部が、固定端子１８Ｂの固定側接点部に対し当接される。その際、カードスロットを通過した第１のＩＣカードＳＤＣまたは第２のＩＣカードの先端部が押圧レバー部材１６の案内溝１６Ｇの端部から所定量ΔＤだけ侵入した時点で、押圧レバー部材１６が、後述する初期位置とされる所定の角度αから反時計回り方向にさらに所定角度、回転されたとき、可動端子１８Ａにおける折曲片部の可動側接点部が、固定端子１８Ｂの固定側接点部に対し当接される。
【００２６】
従って、カードエンド検出スイッチ１８は、第１のＩＣカードＳＤＣまたは第２のＩＣカードの先端部の侵入開始をあらわす信号を送出する信号回路の一部を形成する。
【００２７】
また、第１のＩＣカードＳＤＣまたは第２のＩＣカードの先端部がカードスロット１０ＣＳから排出される場合、可動端子１８Ａにおける折曲片部は、それ自体の復元力により、押圧レバー部材１６の押圧面１６Ｔを時計回り方向に押圧し上述の初期位置まで戻すとともに、可動端子１８Ａにおける折曲片部の可動側接点部が、固定端子１８Ｂの固定側接点部に対し離隔する。従って、カードエンド検出スイッチ１８は、排出される第１のＩＣカードＳＤＣまたは第２のＩＣカードの先端部の位置が押圧レバー部材１６の案内溝１６Ｇの端部から所定量ΔＤ未満の位置に到達したことをあらわす信号を送出し、即ち、第１のＩＣカードＳＤＣまたは第２のＩＣカードの概ね全体が排出されたことをあらわす信号を送出する信号回路の一部を形成することとなる。
【００２８】
押圧レバー部材１６は、図４（Ａ）および（Ｂ）に拡大されて示されるように、係止面部１６Ｋおよび押圧面１６Ｔと、第１のＩＣカードＳＤＣの段部を案内する案内溝１６Ｇとを有する上部案内部と、摺接面１６Ｂを有する下部案内部と、側壁１０ＬＷの端部に設けられる孔１０Ｄに回動可能に支持される軸部１６Ｓとから構成されている。
【００２９】
上部案内部における案内溝１６Ｇは、カードスロット１０ＣＳ近傍でカード収容部１０Ａに向き合い、第１のＩＣカードＳＤＣの着脱方向に沿って延在している。案内溝１６Ｇは、図５（Ａ）、（Ｂ）、および、（Ｃ）に示されるように、摺接面１６Ｂに対し略平行な第１の案内面１６ＳＤと、案内面１６ＳＤに対し垂直に形成される第２の案内面１６ＳＳとにより囲まれて形成されている。第１のＩＣカードＳＤＣまたは第２のＩＣカードが挿入される以前においては、第２の案内面１６ＳＳは、図６（Ａ）に示されるように、側壁１０ＬＷの側面における仮想の延長した面と所定の角度αで交差するように傾斜している。従って、第２の案内面１６ＳＳおよび第１の案内面１６ＳＤに連なる側面１６ＳＥの一端は、カード収容部１０Ａの内方に向けて突出している。また、第２の案内面１６ＳＳにおけるカードスロット側の他端から相対向する側壁１０ＲＷの内側に形成される案内面までの距離Ｌｃは、第１のＩＣカードＳＤＣの横幅寸法Ｓｃよりも若干大に設定されている。これにより、挿入される第１のＩＣカードＳＤＣまたは第２のＩＣカードの先端部の一方の角が、必ず第２の案内面１６ＳＳまたは側面１６ＳＥに当接せしめられることとなる。
【００３０】
また、上部案内部における第２の案内面１６ＳＳに連なって上端面１６ＳＵが形成されている。摺接面１６Ｂから上端面１６ＳＵまでの高さ１６Ｈは、図３に示されるように、上述のカードスロットの一部を形成する壁の高さ１０Ｈと略同一に設定されている。これにより、図示が省略されるカバー部材とベース部材１０の開口端部とにより形成されるカードスロットの周縁において、上端面１６ＳＵとカバー部材の内周面との間の隙間が、比較的小となるので例えば、第１のＩＣカードＳＤＣの挿入時、第１のＩＣカードＳＤＣのガタツキが防止され、その結果、第１のＩＣカードＳＤＣが円滑に案内される。また、摺接面１６Ｂから上端面１６ＳＵまでの高さ１６Ｈは、上端面１６ＳＵに連なる係止面部１６Ｋおよび押圧面１６Ｔが形成される部分の上端面から摺接面１６Ｂまでの寸法に比して大に設定されているので摺接面１６Ｂから上端面１６ＳＵまでの部分は、軸部１６Ｓを補強することとなる。
【００３１】
第２の案内面１６ＳＳは、第１のＩＣカードＳＤＣおよび第２のＩＣカードにおける一方の側面を案内するものとされる。第１のＩＣカードＳＤＣおよび第２のＩＣカードにおける他方の側面は、側壁１０ＲＷにおけるカードスロットの周縁に形成される案内壁により案内される。第１のＩＣカードＳＤＣが、第１の案内面１６ＳＤと第２の案内面１６ＳＳとにより、案内されることにより、より安定した挿入操作が可能となる。また、図５（Ｃ）に示されるように、第１の案内面１６ＳＤに連なる側面１６ＳＥが、主に、第１のＩＣカードＳＤＣの段差部の側面を案内するとともに、第２の案内面１６ＳＳが第１のＩＣカードＳＤＣの側面を案内することとなる。
【００３２】
押圧面１６Ｔは、上部案内部における第２の案内面１６ＳＳに対向し上述のカードエンド検出スイッチ１８の可動端子１８Ａに向かい合うように形成されている。また、押圧面１６Ｔに連なる係止面部１６Ｋは、側壁１０ＬＷにおけるストッパ部１０Ｌｗｓ（図６（Ｂ）参照）に係合するように窪み内に形成されている。ストッパ部１０Ｌｗｓにより、回動する押圧レバー部材１６の動きが規制されるため、カードエンド検出スイッチ１８の可動端子１８Ａの過剰な変形が防止される。
【００３３】
下部案内部の摺接面１６Ｂは、図３に部分的に拡大されて示されるように、側壁１０ＬＷの端部の凹部１０Ｌｗａに形成される孔１０Ｄの周囲に、ベース部材１０の底面に対し略平行な平坦面１０Ｌｗｂに当接される。なお、孔１０Ｄは、貫通した孔であっても、有底の孔であってもよい。
【００３４】
軸部１６Ｓの外周部と下部案内部の摺接面１６Ｂとの間には、図４（Ｂ）に示されるように、円弧状の隙間１６Ｒが形成されている。その隙間１６Ｒには、図２および図３に示される孔１０Ｄの円弧状の周縁が係合される。
【００３５】
第２の案内面１６ＳＳにおけるカードスロット側の他端から相対向する側壁１０ＲＷの内側に形成される案内面までの距離Ｌｃは、第１のＩＣカードＳＤＣの横幅寸法Ｓｃよりも若干大に設定されている。これにより、挿入される第１のＩＣカードＳＤＣまたは第２のＩＣカードの先端部の一方の角が、必ず第２の案内面１６ＳＳまたは側面１６ＳＥに当接せしめられることとなる。
【００３６】
なお、上述の例においては、挿入される第１のＩＣカードＳＤＣまたは第２のＩＣカードの先端部の一方の角が、必ず押圧レバー部材１６の第２の案内面１６ＳＳまたは側面１６ＳＥの端部に確実に当接せしめられるように、上述の図６（Ａ）における所定の距離Ｌｃが、第１のＩＣカードＳＤＣの横幅寸法Ｓｃよりも若干大に設定されているが、斯かる例に限られることなく、第１のＩＣカードＳＤＣの横幅とは異なる横幅を有する他のＩＣカード、例えば、第１のＩＣカードＳＤＣの横幅の短いメモリスティック（登録商標）のような他のＩＣカードにおいては、その距離Ｌｃがメモリスティックの横幅よりも若干大に設定されることにより、メモリスティック用のカードコネクタに対し本発明に係るＩＣカード用コネクタの一例が適用されてもよいことは勿論である。さらに、側壁１０ＬＷにおける第１の検出スイッチとしてのカードエンド検出スイッチ１８に隣接して、ライトプロテクトスイッチ検出用スイッチ２０、および、ロック／アンロック検出スイッチ２２が設けられている。
【００３７】
ライトプロテクトスイッチ検出用スイッチ２０は、第１のＩＣカードＳＤＣのライトプロテクトスイッチＳＤＢの位置を検出するものとされる。ライトプロテクトスイッチ検出用スイッチ２０は、可動接点部を有する可動片部２０Ｂと、可動片部２０Ｂの接点部が選択的に当接する固定片部２０Ａとから構成されている。これにより、可動片部２０Ｂの可動接点部がライトプロテクトスイッチＳＤＢにより押圧されることによって固定片部２０Ａに当接される場合、ライトプロテクトスイッチ検出用スイッチ２０は、ライトプロテクトスイッチＳＤＢがオフ状態であることをあらわすハイレベルの信号を送出することとなる。一方、可動片部２０Ｂの可動接点部がライトプロテクトスイッチＳＤＢにより押圧されない場合、ライトプロテクトスイッチ検出用スイッチ２０は、ライトプロテクトスイッチＳＤＢがオン状態であることをあらわすローレベルの信号を送出することとなる。
【００３８】
第２の検出スイッチとしてのロック／アンロック検出スイッチ２２は、カード収容部１０Ａ内に装着された第１のＩＣカードＳＤＣまたは第２のＩＣカードのロック状態またはアンロック状態を検出するものとされる。ロック／アンロック検出スイッチ２２は、ロック状態とされるイジェクタ部材２４に保持される第１のＩＣカードＳＤＣの先端部の角により押圧される接点部を有する可動片部２２Ｂと、可動片部２２Ｂの接点部が選択的に当接する固定片部２２Ａとから構成されている。これにより、可動片部２２Ｂが第１のＩＣカードＳＤＣまたは第２のＩＣカードの先端部の角により押圧される場合、その接点部が固定片部２２Ａに当接されるとき、ロック／アンロック検出スイッチ２２は、第１のＩＣカードＳＤＣまたは第２のＩＣカードが装着完了状態をあらわすハイレベルの信号を送出する。一方、可動片部２２Ｂが押圧されない場合、その接点部と固定片部２２Ａが互いに離隔し、ロック／アンロック検出スイッチ２２は、第１のＩＣカードＳＤＣまたは第２のＩＣカードの先端部の角が到来していないことをあらわすローレベルの信号を送出する。
【００３９】
従って、上述のカードエンド検出スイッチ１８が所定の信号を送出し、かつ、ロック／アンロック検出スイッチ２２が所定の信号を送出する場合、ＩＣカードコネクタにおける各スイッチからの信号が供給される電子機器内の制御ユニット（不図示）は、上述の検出出力に基づいて図６（Ｂ）において二点鎖線で示されるように、第１のＩＣカードＳＤＣまたは第２のＩＣカードのカード収容部内への装着が完了したと判断することとなる。
【００４０】
図７は、本発明に係るＩＣカード用コネクタの第２実施例を示す。
【００４１】
図１に示される例においては、カードエンド検出スイッチ１８は、その可動端子１８Ａと、その固定端子１８Ｂは、互いに略平行となるように側壁１０ＬＷに配されている。一方、図７に示される例においては、カードエンド検出スイッチが、側壁１０ＬＷに配される可動端子３４Ａと、カバー部材３２に一体に形成される固定端子３２Ｂとから構成されている。なお、図７および図８においては、図１に示される例における同一の構成要素について同一の符号を付して示し、その重複説明を省略する。
【００４２】
ＩＣカード用コネクタは、収容される第１のＩＣカードＳＤＣまたは第２のＩＣカードに対する電気的接続を行う複数のコンタクト端子等が配列されるベース部材３０と、ベース部材３０と協働して各カードのカード収容部を形成するカバー部材３２とを含んで構成されている。
【００４３】
門形状の断面形状を有するカバー部材３２は、薄板の金属材料で形成されている。カバー部材３２の上面には、複数箇所に形成される開口部内に、ブレーキ片が形成されている。これにより、第１のＩＣカードＳＤＣまたは第２のＩＣカードが排出されるとき、ブレーキ片が、第１のＩＣカードＳＤＣまたは第２のＩＣカードを制動させる。
【００４４】
カバー部材３２における一方の側面３２ＬＳには、図９に拡大されて示されるように、開口部の周縁に一体に連結されカードエンド検出スイッチの一部を構成する略長方形の固定端子３２Ｂが設けられている。固定端子３２Ｂの内面に形成される接点部（不図示）は、後述する可動端子３４Ａの接点部に相対向して形成されている。固定端子３２Ｂは、図示が省略される接地端子に電気的に接続されている。
【００４５】
ベース部材３０におけるカード収容部３０Ａは、上方、および後述するコンタクト端子固定部側とは反対側の端部が、開口している。
【００４６】
従って、上述のカバー部材３２によりベース部材３０が覆われることにより、カード収容部３０Ａの一方の端部に、第１のＩＣカードＳＤＣおよび第２のＩＣカードのうちの一方が選択的に通過される共通のカードスロット３０ＣＳが形成されることとなる。その共通のカードスロット３０ＣＳとしての開口端部は、挿入される第１のＩＣカードＳＤＣおよび第２のＩＣカードの形状寸法に対応した形状の横断面を有している。
【００４７】
ベース部材３０は、例えば、成形樹脂材料で一体に成形されている。ベース部材３０は、第１のＩＣカードＳＤＣおよび第２のＩＣカードが着脱可能に収容されるカード収容部３０Ａの両側部をそれぞれ形成する側壁３０ＲＷ、３０ＬＷと、コンタクト端子１４ａｉ（ｉ＝１〜９）が配されるコンタクト端子固定壁部３０ＢＷとを含んで構成されている。
【００４８】
複数のコンタクト端子１４ａｉは、例えば、所定の相互間隔で側壁３０ＲＷ，３０ＬＷに対して略平行に、カード収容部３０Ａにおけるコンタクト端子固定壁部３０ＢＷに近い部分に配列されている。
【００４９】
側壁３０ＲＷの内側部分には、第１のＩＣカードＳＤＣまたは第２のＩＣカードをカード収容部３０Ａに保持するとともに、カード収容部３０Ａから第１のＩＣカードＳＤＣまたは第２のＩＣカードを選択的に排出するイジェクタ機構１２が設けられている。
【００５０】
側壁３０ＬＷにおけるカードスロット３０ＣＳの一部を形成する周縁には、第１の検出スイッチとしてのカードエンド検出スイッチと、押圧レバー部材１６とが設けられている。
【００５１】
カードエンド検出スイッチは、押圧レバー部材１６の回動動作を検出することにより、第１のＩＣカードＳＤＣまたは第２のＩＣカードの先端部の侵入または排出を検出するものとされる。
【００５２】
カードエンド検出スイッチは、上述したように、可動端子３４Ａと、固定端子３２Ｂとから構成されている。可動端子３４Ａは、側壁３０ＬＷに圧入される固定片部と、固定片部と一体に形成され、接点部を先端に有し後述する押圧レバー部材１６の押圧面１６Ｔにより押圧される折曲片部とから構成されている。その折曲片部は、常時、後述する押圧レバー部材１６の押圧面１６Ｔに当接し固定端子部３２Ｂの接点部に対し近接または離隔するように、弾性変位可能とされる。また、その折曲片部は、側壁３０ＬＷの端部の凹部３０Ｌｗａ近傍に形成される開口部３０Ｌｗｃを通じて固定端子３２Ｂに対し近接または離隔可能とされる。
【００５３】
これにより、第１のＩＣカードＳＤＣまたは第２のＩＣカードの先端部で反時計回り方向に押圧される押圧レバー部材１６の押圧面１６Ｔにより、折曲片部が押圧される場合、可動端子３４Ａにおける折曲片部の接点部が、固定端子３２Ｂの接点部に対し当接される。従って、そのカードエンド検出スイッチは、第１のＩＣカードＳＤＣまたは第２のＩＣカードの先端部の侵入をあらわす信号を送出する信号回路の一部を形成する。
【００５４】
また、第１のＩＣカードＳＤＣまたは第２のＩＣカードの先端部がカードスロット３０ＣＳから排出される場合、可動端子３４Ａにおける折曲片部は、それ自体の復元力により、押圧レバー部材１６を時計回り方向に押圧し初期位置まで戻すとともに、可動端子３４Ａにおける折曲片部の接点部が、固定端子３２Ｂの接点部に対し離隔する。従って、カードエンド検出スイッチは、第１のＩＣカードＳＤＣまたは第２のＩＣカードの先端部の排出をあらわす信号を送出する信号回路の一部を形成する。
【００５５】
従って、上述のカードエンド検出スイッチがハイレベルの信号を送出し、かつ、上述のロック／アンロック検出スイッチ２２がハイレベルの信号を送出する場合、ＩＣカードコネクタにおける各スイッチからの信号が供給される電子機器内の制御ユニット（不図示）は、上述の検出出力に基づいて第１のＩＣカードＳＤＣまたは第２のＩＣカードのカード収容部内への装着が完了したと判断することとなる。
【符号の説明】
【００５６】
１０、３０    ベース部材
１０ＣＳ，３０ＣＳ    カードスロット
１４ａｉ    コンタクト端子
１６    押圧レバー部材
１６Ｇ    案内溝
１６ＳＤ    第１の案内面
１６ＳＳ    第２の案内面
１８    カードエンド検出スイッチ
２２    ロック／アンロック検出スイッチ
３２    カバー部材
ＳＤＣ    第１のＩＣカード
【図１】
2011227707.tif 000003
【図２】
2011227707.tif 000004
【図３】
2011227707.tif 000005
【図４】
2011227707.tif 000006
【図５】
2011227707.tif 000007
【図６】
2011227707.tif 000008
【図７】
2011227707.tif 000009
【図８】
2011227707.tif 000010
【図９】
2011227707.tif 000011
【図１０】
2011227707.tif 000012